【手続補正書】
【提出日】平成18年2月6日(2006.2.6)
【手続補正１】
【補正対象書類名】明細書
【補正対象項目名】発明の名称
【補正方法】変更
【補正の内容】
【発明の名称】遠隔制御システム、遠隔制御装置、電子機器、遠隔制御方法、及び制御プログラム
【手続補正２】
【補正対象書類名】明細書
【補正対象項目名】特許請求の範囲
【補正方法】変更
【補正の内容】
【特許請求の範囲】
【請求項１】  制御装置と被制御装置とがワイヤレスで双方向に通信可能な遠隔制御システムであって、前記制御装置は、
遠隔制御用のキースイッチが押下され続けている間に該キースイッチに対応する制御信号を繰り返し送信する第１の送信手段と、
前記被制御装置から所定の信号を受信した場合に、前記第１の送信手段による前記制御信号の繰り返し送信を停止させる停止手段と、
を有することを特徴とする遠隔制御システム。
【請求項２】  前記制御装置と被制御装置は、赤外光により双方向に通信することを特徴とする請求項１に記載の遠隔制御システム。
【請求項３】  前記被制御装置は、前記第１の送信手段により送信された前記キースイッチに対応する制御信号が繰り返し制御に適した制御信号であるか否かを判別する判別する第１の判別手段と、少なくとも前記第１の判別手段により繰り返し制御に適さない制御信号であると判別された場合に、前記第１の送信手段による前記制御信号の繰り返し送信を停止させる停止指令信号を送信する第２の送信手段を有することを特徴とする請求項１又は２に記載の遠隔制御システム。
【請求項４】  前記被制御装置は、前記第１の送信手段により送信された前記制御信号を正常に受信したか否かを判別する第２の判別手段を有し、前記第２の送信手段は、前記第２の判別手段により正常に受信したと判別され、かつ前記第１の判別手段により繰り返し制御に適さない制御信号であると判別された場合に、前記第１の送信手段による前記制御信号の繰り返し送信を停止させる停止指令信号と正常受信信号とを送信することを特徴とする請求項３に記載の遠隔制御システム。
【請求項５】  前記制御装置は、前記第１の送信手段により送信した前記キースイッチに対応する制御信号が繰り返し制御に適した制御信号であるか否かを判別する判別する第１の判別手段と、
前記第１の送信手段により送信した前記キースイッチに対応する制御信号に対する応答を前記被制御装置から受信したかを判別する第２の判別手段と、
前記第１の判別手段により繰り返し制御に適さない制御信号であると判別され、かつ、前記第２の判別手段により前記応答を受信したと判別された場合に、前記停止手段は前記制御信号の繰り返し送信を停止することを特徴とする請求項１又は２に記載の遠隔制御システム。
【請求項６】  ワイヤレスで双方向に通信可能に被制御装置を遠隔制御する遠隔制御装置であって、
遠隔制御用のキースイッチが押下され続けている間に該キースイッチに対応する制御信号を繰り返し送信する送信手段と、
前記キースイッチが繰り返し制御に適した制御信号を送信するためのキースイッチであるか否かを判別する判別手段と、
前記被制御装置から所定の信号を受信した場合に、前記送信手段による前記制御信号の繰り返し送信を停止させる停止手段と、
を有することを特徴とする遠隔制御装置。
【請求項７】  ワイヤレスで双方向に通信可能に遠隔制御装置により遠隔制御される電子機器であって、
前記遠隔制御装置から繰り返し送信されてきた同一の制御信号が繰り返し制御に適した制御信号であるか否かを判別する判別する第１の判別手段と、少なくとも前記第１の判別手段により繰り返し制御に適さない制御信号であると判別された場合に、前記制御信号の繰り返し送信を停止させる停止指令信号を送信する送信手段を有することを特徴とする電子機器。
【請求項８】  前記電子機器は、前記送信手段により送信された前記制御信号を正常に受信したか否かを判別する第２の判別手段を有し、前記送信手段は、前記第２の判別手段により正常に受信したと判別され、かつ前記第１の判別手段により繰り返し制御に適さない制御信号であると判別された場合に、前記制御信号の繰り返し送信を停止させる停止指令信号と正常受信信号とを送信することを特徴とする請求項７に記載の電子機器。
【請求項９】  ワイヤレスで双方向に通信可能に被制御装置を遠隔制御する遠隔制御方法であって、
遠隔制御用のキースイッチが押下され続けている間に該キースイッチに対応する制御信号を繰り返し送信し、前記被制御装置から所定の信号を受信した場合に、前記制御信号の繰り返し送信を停止させることを特徴とする遠隔制御方法。
【請求項１０】  ワイヤレスで双方向に通信可能に被制御装置を遠隔制御するための制御プログラムであって、
遠隔制御用のキースイッチが押下され続けている間に該キースイッチに対応する制御信号を繰り返し送信し、前記被制御装置から所定の信号を受信した場合に、前記制御信号の繰り返し送信を停止させる内容を有することを特徴とする制御プログラム。
【請求項１１】  制御装置と被制御装置とがワイヤレスで双方向に通信可能な遠隔制御システムであって、
前記被制御装置は、前記制御装置から制御信号を正常に受信したか否かを判別する第１の判別手段と、前記第１の判別手段により正常に受信したと判別された場合に正常受信信号を返信する返信手段を有し、
前記制御装置は、遠隔制御用のキースイッチが押下され続けている間に該キースイッチに対応する制御信号を繰り返し送信する送信手段と、前記返信手段から前記正常受信信号が返信されてきた場合に、前記制御信号が繰り返し制御に適した制御信号であるか否かを判別する判別する第２の判別手段と、前記第２の判別手段により繰り返し制御に適さない制御信号であると判別された場合に、前記送信手段による前記制御信号の繰り返し送信を停止させる停止手段と、
を有することを特徴とする遠隔制御システム。
【請求項１２】  前記制御装置と被制御装置は、赤外光により双方向に通信することを特徴とする請求項１１に記載の遠隔制御システム。
【請求項１３】  ワイヤレスで双方向に通信可能に被制御装置を遠隔制御する遠隔制御装置であって、
遠隔制御用のキースイッチが押下され続けている間に該キースイッチに対応する制御信号を繰り返し送信する送信手段と、前記被制御装置から前記制御信号に対する正常受信信号が返信されてきた場合に、前記制御信号が繰り返し制御に適した制御信号であるか否かを判別する判別する判別手段と、前記判別手段により繰り返し制御に適さない制御信号であると判別された場合に、前記送信手段による前記制御信号の繰り返し送信を停止させる停止手段と、
を有することを特徴とする遠隔制御装置。
【請求項１４】  ワイヤレスで双方向に通信可能に被制御装置を遠隔制御する遠隔制御方法であって、
遠隔制御用のキースイッチが押下され続けている間に該キースイッチに対応する制御信号を繰り返し送信し、前記被制御装置から前記制御信号に対する正常受信信号が返信されてきた場合に、前記制御信号が繰り返し制御に適した制御信号であるか否かを判別し、繰り返し制御に適さない制御信号であると判別された場合に、前記制御信号の繰り返し送信を停止させることを特徴とする遠隔制御方法。
【請求項１５】  ワイヤレスで双方向に通信可能に被制御装置を遠隔制御するための制御プログラムであって、
遠隔制御用のキースイッチが押下され続けている間に該キースイッチに対応する制御信号を繰り返し送信し、前記被制御装置から前記制御信号に対する正常受信信号が返信されてきた場合に、前記制御信号が繰り返し制御に適した制御信号であるか否かを判別し、繰り返し制御に適さない制御信号であると判別された場合に、前記制御信号の繰り返し送信を停止させる内容を有することを特徴とする制御プログラム。
【手続補正３】
【補正対象書類名】明細書
【補正対象項目名】０１５９
【補正方法】削除
【補正の内容】
【手続補正４】
【補正対象書類名】明細書
【補正対象項目名】０１６０
【補正方法】削除
【補正の内容】
【手続補正５】
【補正対象書類名】明細書
【補正対象項目名】０１６１
【補正方法】削除
【補正の内容】
【手続補正６】
【補正対象書類名】明細書
【補正対象項目名】０１６２
【補正方法】削除
【補正の内容】
【手続補正７】
【補正対象書類名】明細書
【補正対象項目名】０１６３
【補正方法】削除
【補正の内容】
【手続補正８】
【補正対象書類名】明細書
【補正対象項目名】０１６４
【補正方法】削除
【補正の内容】
【手続補正９】
【補正対象書類名】明細書
【補正対象項目名】０１６５
【補正方法】削除
【補正の内容】
【手続補正１０】
【補正対象書類名】明細書
【補正対象項目名】０１６６
【補正方法】削除
【補正の内容】
【手続補正１１】
【補正対象書類名】明細書
【補正対象項目名】０１６７
【補正方法】削除
【補正の内容】
【手続補正１２】
【補正対象書類名】明細書
【補正対象項目名】０１６８
【補正方法】削除
【補正の内容】
【手続補正１３】
【補正対象書類名】明細書
【補正対象項目名】０１６９
【補正方法】削除
【補正の内容】
【手続補正１４】
【補正対象書類名】明細書
【補正対象項目名】０１７０
【補正方法】削除
【補正の内容】
【手続補正１５】
【補正対象書類名】明細書
【補正対象項目名】０１７１
【補正方法】削除
【補正の内容】
【手続補正１６】
【補正対象書類名】明細書
【補正対象項目名】０１７２
【補正方法】削除
【補正の内容】
【手続補正１７】
【補正対象書類名】明細書
【補正対象項目名】０１７３
【補正方法】削除
【補正の内容】
【手続補正１８】
【補正対象書類名】明細書
【補正対象項目名】０１７４
【補正方法】削除
【補正の内容】